(57)【特許請求の範囲】
【請求項１】
シートバックの骨格を構成するパイプフレームと、このパイプフレームの横ユニットに、その直交する方向に設けたブラケットの取付け構造であって、
前記ブラケットの取付け構造は、このブラケットの垂直方向（Ｙ）の両端部と、前記横ユニットの潰し部位とを固定するとともに、当該ブラケットの水平方向（Ｘ）の上下面に設けた上下のリブ片と、前記横ユニットの上下面の潰し端片とを固定する構造であり、
この固止は、この横ユニットの潰し部位と、前記ブラケットの両端部との垂直方向（Ｙ
）に設ける対の第一溶接部と、前記ブラケットの上下のリブ片と、前記横ユニットの上下面の潰し端片との水平方向（Ｘ）に設ける対の第二溶接部と、で行う構造とし、
このブラケットの取付け構造は、衝突時において、このブラケットに掛かる荷重を、前記垂直方向（Ｙ）に設ける対の第一溶接部と、前記水平方向（Ｘ）に設ける対の第二溶接部との四方向の溶接個所で、受け止めることを特徴としたブラケットの取付け構造。
【請求項２】
シートバックの骨格を構成するパイプフレームと、このパイプフレームの横ユニットに、その直交する方向に設けたブラケットの取付け構造であって、
前記ブラケットの取付け構造は、このブラケットの垂直方向（Ｙ）の両端部と、前記横ユニットの潰し部位とを固定するとともに、ブラケットの水平方向（Ｘ）の上下面と、前記横ユニットのパイプの一部より切出して形成した、当該横ユニットの上下面のリブ片とを固定する構造であり、
この固止は、この横ユニットの潰し部位と、前記ブラケットの両端部との垂直方向（Ｙ
）に設ける対の第一溶接部と、このブラケットの水平方向（Ｘ）の上下面と、前記横ユニットのパイプの一部より切出して形成した、当該横ユニットの上下面のリブ片との水平方向（Ｘ）に設ける対の第二溶接部と、で行う構造とし、
このブラケットの取付け構造は、衝突時において、このブラケットに掛かる荷重を、前記垂直方向（Ｙ）に設ける対の第一溶接部と、前記水平方向（Ｘ）に設ける対の第二溶接部との四方向の溶接個所で、受け止めることを特徴としたブラケットの取付け構造。
【請求項３】
請求項１に記載のブラケットの取付け構造であって、
前記ブラケットのリブ片は、このブラケットの繋ぎ合せ部位の一部より切出した構造であって、このリブ片を、前記横ユニットに第二溶接部で固止することを特徴としたブラケットの取付け構造。
【請求項４】
請求項３に記載のブラケットの取付け構造であって、
前記ブラケットのリブ片を、このブラケットの繋ぎ合せ部位の一部より切出した構造であって、このブラケットの上端縁部であって、前記繋ぎ合せ部位を除いた何れかの面の端縁部に切欠き部を形成し、この切欠き部には、ヘッドレストサポートの頭部と胴部を繋ぐ首部に設けた突起が嵌合することを特徴としたブラケットの取付け構造。
【発明の詳細な説明】
【技術分野】
【０００１】
本発明は、シートバックの骨格を構成するパイプフレームに設けられるブラケットの取付け構造に関する。
【背景技術】
【０００２】
従来、シートバックの骨格を構成するパイプフレームの潰し部位に、溶接手段で取付けられるブラケット（ヘッドレストサポートブラケット、ブッシュ）には、ヘッドレストブラケットと、そのスティーが設けられる。そして、このスティーにはヘッドレストが設けられる。このブラケットは、ヘッドレストに対して、人の頭部の衝撃がかかった場合に（衝突時で、特に、後突時において）、この衝撃荷重に耐え得る構造となっている。
【０００３】
そして、従来は、パイプフレームの潰し部位とブラケットを溶接部（第一溶接部）する。この溶接部による固止（溶接固止とする）は、例えば、このパイプフレームの潰し部位に、ブラケットをクロスして設け（パイプフレームの立設方向（縦方向）に設け）、このブラケットの繋ぎ合せ部位（後面）と、その両側面（横面）を、潰し部位に溶接部を介して固止（固定）する構造である。この溶接固止は、通常の後突時には乗員の身体（胴体）が慣性により後方移動し、シートバック内に沈み込む程度の衝撃では、さして問題でない。しかし、後突が強い場合には、ブラケットに対し、ヘッドレストが上方の離れた位置に装備される構造よりして、この衝撃で、ブラケットに予期せぬ撓み応力が作用し、このヘッドレストが撓む状況となり、本来の機能を発揮しないことが間々発生する昨今である。
【０００４】
以上のような問題を解決するための手段として、先行文献より、検討する。この検討結果を、以下、文献（１）〜文献（３）として説明する。
【０００５】
文献（１）は、特開２００２−３６９２７の「車両用シート」であり、この発明は、シートフレームの横パイプの凹み部にブラケット（ヘッドレストサポート）を設け、溶接で固止し、かつ対のブラケットの前面（走行側面）に差渡し設けた補強ワイヤーを、前記シートフレームに溶接する構造である。そして、このシートフレームの変形を、後突の衝撃を受けた際に、このワイヤーの張力で抑止することを意図する。しかし、このようなワイヤーでは、シートフレームの変形は可能としても、ブラケットの撓み応力に対応するには、このワイヤーの張力による抑止では、期待できないと考えられる。また、ブラケットの前面に溶接することから、当該ブラケットが、溶接で歪む虞があり、ヘッドレストサポート及び／又はスティーの挿入に支障が発生することが考えられる。
【０００６】
また、文献（２）は、実開昭６１−１１１３５１号の「シートフレーム」であり、この考案は、シートフレームに、凹み部を有し、かつ平面視して、略Ｍ型のブラケットを溶接し、このブラケットの凹み部に、筒状のブラケットを溶接固止する構造である。この考案は、凹み部に溶接用突起を形成し、溶接強度の向上を図ることを意図する。しかし、この考案では、筒状のブラケットを溶接固止するには適するが、ブラケットの形状が異なると、この構造は採用できない問題がある。
【０００７】
さらに、文献（３）は、特開２００５−６６１２０の「車両用シートのヘッドレスト支持構造」があり、この発明は、シートフレーム（アッパパイプ）の潰し部位に、上下に潰し突条を形成し、ブラケットとの接触面積を拡充しながら、この拡充した接触面積全体に溶接する構造である。この上下の潰し突起を、変形抑制手段として、前記ブラケットの撓み応力に対応することを意図する。しかし、この発明では、上下の潰し突起をシートフレームに形成するに際し、加工に手間と、特殊な冶具を要することが考えられ、その製造に困難性が考えられる。また、歪の問題は、文献（１）と同様に考えられる。
【０００８】
【特許文献１】特開２００２−３６９２７
【特許文献２】実開昭６１−１１１３５１号
【特許文献３】特開２００５−６６１２０
【発明の概要】
【発明が解決しようとする課題】
【０００９】
以上で説明した、前記文献（１）〜文献（３）には、前述したそれぞれの課題があり、その解決が急務である。
【００１０】
また、本発明の課題を解決するためには、実際の製造現場で、従来の技術と、加工技術を駆使して達成することが、合理的であり、かつ実用に供しえることが考えられる。そして、この際に、例えば、構造の簡略化と、加工作業の簡略化等の特徴が、十分、発揮できることが、実施に関する最低限の条件と考えられる。
【課題を解決するための手段】
【００１１】
請求項１の発明は、急激な後突時に、ブラケットに対し、上方に位置するヘッドレストの構造よりして、このヘッドレスト、及びそのスティーに予期せぬ撓み応力が作用し、このヘッドレスト等が撓む状況となっても、ブラケットが撓まず、かつ本来の機能を発揮できる、ブラケットの取付け構造を提案する。また、請求項１の発明は、パイプフレームの横ユニット（パイプフレームの上面アーチ部）、又はブラケットに設けた切出しリブ片と、ブラケット、又は横ユニットとの接合面を、第二溶接部で固止することで、このブラケットに対する撓み応力を解消できるブラケットの取付け構造を提案する。さらに、請求項１の発明は、後突時のムチ打ちの発生回避を図ることを意図する。そして、また、請求項１の発明は、第一溶接部と、第二溶接部の溶接方向を異方向とすることで、横ユニット及び／又はブラケットの強度の向上と、熱による歪み防止を図ることを意図する。
【００１２】
請求項１は、シートバックの骨格を構成するパイプフレームと、このパイプフレームの横ユニットに、その直交する方向に設けたブラケットの取付け構造であって、
前記ブラケットの取付け構造は、このブラケットの垂直方向（Ｙ）の両端部と、前記横ユニットの潰し部位とを固定するとともに、当該ブラケットの水平方向（Ｘ）の上下面に設けた上下のリブ片と、前記横ユニットの上下面の潰し端片とを固定する構造であり、
この固止は、この横ユニットの潰し部位と、前記ブラケットの両端部との垂直方向（Ｙ
）に設ける対の第一溶接部と、前記ブラケットの上下のリブ片と、前記横ユニットの上下面の潰し端片との水平方向（Ｘ）に設ける対の第二溶接部と、で行う構造とし、
このブラケットの取付け構造は、衝突時において、このブラケットに掛かる荷重を、前記垂直方向（Ｙ）に設ける対の第一溶接部と、前記水平方向（Ｘ）に設ける対の第二溶接部との四方向の溶接個所で、受け止めることを特徴としたブラケットの取付け構造である。
【００１４】
請求項２は、シートバックの骨格を構成するパイプフレームと、このパイプフレームの横ユニットに、その直交する方向に設けたブラケットの取付け構造であって、
前記ブラケットの取付け構造は、このブラケットの垂直方向（Ｙ）の両端部と、前記横ユニットの潰し部位とを固定するとともに、ブラケットの水平方向（Ｘ）の上下面と、前記横ユニットのパイプの一部より切出して形成した、当該横ユニットの上下面のリブ片とを固定する構造であり、
この固止は、この横ユニットの潰し部位と、前記ブラケットの両端部との垂直方向（Ｙ
）に設ける対の第一溶接部と、このブラケットの水平方向（Ｘ）の上下面と、前記横ユニットのパイプの一部より切出して形成した、当該横ユニットの上下面のリブ片との水平方向（Ｘ）に設ける対の第二溶接部と、で行う構造とし、
このブラケットの取付け構造は、衝突時において、このブラケットに掛かる荷重を、前記垂直方向（Ｙ）に設ける対の第一溶接部と、前記水平方向（Ｘ）に設ける対の第二溶接部との四方向の溶接個所で、受け止めることを特徴としたブラケットの取付け構造である。
【００１５】
請求項３の発明は、請求項１の目的を達成し、かつブラケットの繋ぎ合せ部位の一部より切出したリブ片を、横ユニットの潰し部位前面に、第二溶接部を介して、固止することで、このブラケットに対する撓み応力を解消できるブラケットの取付け構造を提案する。
【００１６】
請求項３は、請求項１に記載のブラケットの取付け構造であって、
前記ブラケットのリブ片は、このブラケットの繋ぎ合せ部位の一部より切出した構造であって、このリブ片を、前記横ユニットに第二溶接部で固止することを特徴としたブラケットの取付け構造である。
【００１７】
請求項４の発明は、請求項３の目的を達成し、かつブラケットの繋ぎ合せ部位の一部より切出したリブ片を、横ユニットの潰し部位前面に、第二溶接部を介して、固止することで、このブラケットに対する撓み応力を解消できるブラケットの取付け構造を提案する。また、この請求項４の発明は、ブラケットと、ヘッドレストブラケットとの新たな嵌合構造を提案することを意図する。
【００１８】
請求項４は、請求項３に記載のブラケットの取付け構造であって、
前記ブラケットのリブ片を、このブラケットの繋ぎ合せ部位の一部より切出した構造であって、このブラケットの上端縁部であって、前記繋ぎ合せ部位を除いた何れかの面の端縁部に切欠き部を形成し、この切欠き部には、ヘッドレストサポートの頭部と胴部を繋ぐ首部に設けた突起が嵌合することを特徴としたブラケットの取付け構造である。
【発明の効果】
【００２３】
請求項１の発明は、シートバックの骨格を構成するパイプフレームと、パイプフレームの横ユニットに、直交する方向に設けたブラケットの取付け構造であって、
ブラケットの取付け構造は、ブラケットの垂直方向（Ｙ）の両端部と、横ユニットの潰し部位とを固定するとともに、ブラケットの水平方向（Ｘ）の上下面に設けた上下のリブ片と、横ユニットの上下面の潰し端片とを固定する構造であり、
固止は、横ユニットの潰し部位と、ブラケットの両端部との垂直方向（Ｙ）に設ける対の第一溶接部と、ブラケットの上下のリブ片と、横ユニットの上下面の潰し端片との水平方向（Ｘ）に設ける対の第二溶接部と、で行う構造とし、
ブラケットの取付け構造は、衝突時において、ブラケットに掛かる荷重を、垂直方向（Ｙ）に設ける対の第一溶接部と、水平方向（Ｘ）に設ける対の第二溶接部との四方向の溶接個所で、受け止めることを特徴としたブラケットの取付け構造である。
【００２４】
請求項１は、急激な後突時に、ブラケットに対し、上方に位置するヘッドレストの構造よりして、このヘッドレスト、及びそのスティーに予期せぬ撓み応力が作用し、このヘッドレスト等が撓む状況となっても、ブラケットが撓まず、かつ本来の機能を発揮できる、ブラケットの取付け構造を提案できる。また、請求項１は、パイプフレームの横ユニット（パイプフレームの上面アーチ部）、又はブラケットに設けた切出しリブ片と、ブラケット、又は横ユニットとの接合面を、第二溶接部で固止することで、このブラケットに対する撓み応力を解消できるブラケットの取付け構造を提案できる。さらに、請求項１は、後突時のムチ打ちの発生回避が図れる。そして、また、請求項１は、第一溶接部と、第二溶接部の溶接方向を異方向とすることで、横ユニット及び／又はブラケットの強度の向上と、熱による歪み防止が図れる特徴がある。
【００２５】
請求項２の発明は、シートバックの骨格を構成するパイプフレームと、パイプフレームの横ユニットに、直交する方向に設けたブラケットの取付け構造であって、
ブラケットの取付け構造は、ブラケットの垂直方向（Ｙ）の両端部と、横ユニットの潰し部位とを固定するとともに、ブラケットの水平方向（Ｘ）の上下面と、横ユニットのパイプの一部より切出して形成した、横ユニットの上下面のリブ片とを固定する構造であり、
固止は、横ユニットの潰し部位と、ブラケットの両端部との垂直方向（Ｙ）に設ける対の第一溶接部と、ブラケットの水平方向（Ｘ）の上下面と、横ユニットのパイプの一部より切出して形成した、横ユニットの上下面のリブ片との水平方向（Ｘ）に設ける対の第二溶接部と、で行う構造とし、
ブラケットの取付け構造は、衝突時において、ブラケットに掛かる荷重を、垂直方向（Ｙ）に設ける対の第一溶接部と、水平方向（Ｘ）に設ける対の第二溶接部との四方向の溶接個所で、受け止めることを特徴としたブラケットの取付け構造である。
【００２６】
従って、請求項２は、請求項１の目的と同じ特徴を達成できる。
【００２７】
請求項３の発明は、請求項１に記載のブラケットの取付け構造であって、
ブラケットのリブ片は、ブラケットの繋ぎ合せ部位の一部より切出した構造であって、リブ片を、横ユニットに第二溶接部で固止することを特徴としたブラケットの取付け構造である。
【００２８】
従って、請求項３は、請求項１の目的を達成し、かつブラケットの繋ぎ合せ部位の一部より切出したリブ片を、横ユニットの潰し部位前面に、第二溶接部を介して、固止することで、このブラケットに対する撓み応力を解消できるブラケットの取付け構造を提案できる。
【００２９】
請求項４の発明は、請求項３に記載のブラケットの取付け構造であって、
ブラケットのリブ片を、ブラケットの繋ぎ合せ部位の一部より切出した構造であって、ブラケットの上端縁部であって、繋ぎ合せ部位を除いた何れかの面の端縁部に切欠き部を形成し、切欠き部には、ヘッドレストサポートの頭部と胴部を繋ぐ首部に設けた突起が嵌合することを特徴としたブラケットの取付け構造である。
【００３０】
従って、請求項４は、請求項３の目的を達成し、かつブラケットの繋ぎ合せ部位の一部より切出したリブ片を、横ユニットの潰し部位前面に、第二溶接部を介して、固止することで、このブラケットに対する撓み応力を解消できるブラケットの取付け構造を提案できる。また、この請求項４は、ブラケットと、ヘッドレストブラケットとの新たな嵌合構造を提案できる。
【図面の簡単な説明】
【００３５】
【図１】シートバック、ヘッドレスト、ブラケットを含めたシート全体の縮尺模式図
【図２】第一実施例であって、ブラケットにリブ片を設けた構造であり、このリブ片と横ユニットとの関係を示した側面図
【図３】図２に示した第一実施例の上面視した図
【図４】図２に示した第一実施例のブラケットを後面視した図
【図５−１】図２に示した第一実施例のブラケットとヘッドレストサポート、ヘッドレスト、並びにシートバックとの関係を示した模式図
【図５−２】図５−１に示した第一実施例のヘッドレストサポートの拡大要部の側面図
【図６】第二実施例であって、横ユニットにリブ片を設けた構造であり、このリブ片とブラケットとの関係を示した側面図
【図７】図６に示した第二実施例の上面視した図
【図８】図６に示した第二実施例の後面視した図
【図９】他の第二実施例であって、横ユニットにリブ片を設けた構造であり、このリブ片とブラケットとの関係を示した側面図
【図１０】図９に示した他の第二実施例の後面視した図
【図１１】第三実施例であって、横ユニットとブラケットにリブ片を設けた構造であり、このリブ片とブラケットとの関係を示した側面図
【図１２】図１１に示した第三実施例の上面視した図
【図１３】図１１に示した第三実施例の後面視した図
【図１４】第四実施例であって、横ユニットとブラケットにリブ片を設けた構造であり、このリブ片とブラケットとの関係を示した側面図
【図１５】図１４に示した第四実施例の上面視した図
【図１６−１】図１４に示した第四実施例の前面視した図
【図１６−２】図１４に示した第四実施例の後面視した図
【図１７】図６〜図１６−２に示した第二〜第四実施例のブラケットとヘッドレストサポート、へドレスト、並びにシートバックとの関係を示した模式図
【図１８】リブ片の取付け材、数、位置について示した図表
【発明を実施するための形態】
【００３６】
以下、図面に基づいて、本発明の好ましい、一実施例を説明する。
【００３７】
図中１はシートバックＡの骨格を構成するパイプフレームで、このパイプフレーム１は、下部を側板、上部をパイプとした複合パイプ構造、又は全体がパイプ構造等とする両側面ユニット１００、１０１と、この両側面ユニット１００、１０１のアーチ部を構成するパイプ構造の横ユニット１０２で構成されている。そして、この横ユニット１０２の左右端の内側で、かつ前面（Ｂ１）（走行側面）には、この前面（Ｂ１）側を押し潰し加工し、潰し部位１ａ、１ｂを成形する。そして、この潰し部位１ａ、１ｂの前面（Ｂ１）には、角柱状のブラケット２を、このパイプフレーム１と直交するように設け、かつこのブラケット２の上下端縁部２ａ、２ｂの開口２００、２０１が上下方向に位置する構造とする。尚、このブラケット２の後面（Ｂ２）は、噛合せでなる繋ぎ合せ部位２ｃであり、この繋ぎ合せ部位２ｃに設けたクリンチ加工２ｃｃで、この繋ぎ合せ部位２ｃを連繋、かつ強固にする。
【００３８】
この横ユニット１０２の潰し部位１ａ、１ｂには、それぞれブラケット２を直交する方向に配備し（対の構造では、原則として、一方側で説明する。但し、その位置関係、作業は、対称となる）、その上下端縁部２ａ、２ｂが、シートバックＡに組付けた状態で、上下方向である（以下、上下方向は、この状態を示す）。そして、この直交状態では、潰し部位１ａと、ブラケット２の後面（Ｂ２）の平板部が接触する。この接触部位３ａ、３ｂを溶接して、少なくとも、垂直方向（Ｙ）になる第一溶接部５ａ、５ｂ（一方側で説明）する。この第一溶接部５ａにより、この潰し部位１ａと、ブラケット２とを固止する。
【００３９】
そして、この第一溶接部５ａにより、この潰し部位１ａと、ブラケット２とを固止する構造が、従来の固止方法である。しかし、この従来の固止方法では、急激な後突時における「ブラケットに対する撓み応力に対応できない」。この課題を解決することを意図する、本発明の各実施例を、以下、説明する。尚、本発明では、前面（Ｂ１）、後面（Ｂ２）、側面（Ｂ３）、（Ｂ４）等の位置と、言葉は、全ての構成部材に共通である。
【００４０】
［第一実施例］
図２〜図５−２において、ブラケット２に、繋ぎ合せ部位２ｃにおいて切欠いた対のリブ片６を設ける構造であり（一体構造のリブ片「図示しない」も可能である）、このブラケット２の繋ぎ合せ部位２ｃの上端縁部２ａに切出し加工を行い、後面（Ｂ２）にリブ片６を折曲げ形成する。このリブ片６は、上端縁部２ａより突出する構造としたが、この上端縁部２ａより内方の板部を切出し、リブ片６を設ける構造も可能である。このリブ片６は、横ユニット１０２の上面（Ｂ５）に形成される三角形状の潰し端片１ａ１に係止、又は接触し（第一溶接部５ａと異方向で、溶接箇所の分散で、熱による歪回避を図る。以下、同じ）、このリブ片６の開放側の周辺６−１（一部周辺も可能、以下、同じ）と、前記潰し端片１ａ１とを溶接し、少なくとも、水平方向（Ｘ）になる第二溶接部８を形成する。この第二溶接部８と、前記第一溶接部５ａで形成される、少なくとも三方向の溶接箇所（前面視して、山形形状の溶接箇所）により、急激な後突時（衝撃的な後突時）における「ブラケットに対する撓み応力に対応できる」。そして、この第一実施例では、リブ片６を上面（Ｂ５）について説明したが、下面（Ｂ６）にリブ片（図示せず）を設け、この上面（Ｂ５）のリブ片６と同様な取扱いをすることも可能である。尚、この第一実施例では、繋ぎ合せ部位２ｃの上端縁部２ａにリブ片６を設ける構造であるので、この構造面と、このブラケット２及び／又は繋ぎ合せ部位２ｃの製作面等を考慮し、下記の例とする。即ち、このブラケット２の側面（Ｂ３）の端縁部（何れかの端縁部）に切欠き部２０１を形成し、また、ヘッドレストサポート２０の頭部と胴部を繋ぐ首部の後面（Ｂ２）に突起２０００を形成する。そして、前記切欠き部２０１に、この突起２０００を嵌合する構造である。この一例は、切欠き部２０１、及び突起２０００の好ましい構造であって、この構造には、限定されない。図中７はリブ片６を成形するための切欠きを示す。尚、前記突起２０００を設ける箇所は、この一例であり、他の面、例えば、前面（Ｂ１）、側面（３Ｂ）、（Ｂ４）等でも可能である。また、前記繋ぎ合せ部位２ｃにおいて切欠いた対のリブ片６を設ける構造は、連続的な製作が容易であり、かつ能率的である。
【００４１】
［第二実施例（他の第二実施例）］
図６〜図８において（第二実施例）、横ユニット１０２にリブ片６を設ける構造であり、この横ユニット１０２の上下面（Ｂ５）、（Ｂ６）（一方も可能である）の潰し端片１ａ２、１ａ３の膨出側１０２ａ、１０２ｂに切出し加工を行い、リブ片６、６（６とする）を形成する。そして、このリブ片６が、ブラケット２の繋ぎ合せ部位２ｃの上下面（Ｂ５）、（Ｂ６）に接触（第一溶接部５ａの近傍）し、かつ、このリブ片６の開放側の周辺６−１と、前記ブラケット２の繋ぎ合せ部位２ｃとを溶接し、少なくとも、前記水平方向（Ｘ）になる第二溶接部８を形成する。そして、この第二溶接部８と、前記第一溶接部５ａで形成される、少なくとも四方向（三方向）の溶接箇所（前面（Ｂ１）視して、方形形状の溶接箇所）により、急激な後突時における「ブラケットに対する撓み応力に対応できる」。尚、この例では、リブ片６に折曲げ部位６−２を形成し、このリブ片６に対する衝撃緩和（緩衝効果）に役立てることを意図する。そして、この効果は、他の各実施例も同じと考えられる。
【００４２】
また、図９、図１０において（他の第二実施例）、この横ユニット１０２の前面（Ｂ１）で、かつその上面（Ｂ５）、又は下面（Ｂ６）（一方も可能である）の潰し部位１ａ、１ｂに切出し加工を行い、リブ片６を形成する。そして、このリブ片６が、ブラケット２の繋ぎ合せ部位２ｃの上下面（Ｂ５）、（Ｂ６）に接触（第一溶接部５ａの近傍）し、かつ、このリブ片６の開放側の周辺６−１と、前記ブラケット２の繋ぎ合せ部位２ｃとを溶接し、第二溶接部８を形成する。その他の構造は、前述の例に準ずる。
【００４３】
［第三実施例］
図１１〜図１３において、横ユニット１０２とブラケット２にリブ片６を設ける構造であり、このリブ片６は、換言すれば、前面（Ｂ１）視して、傷口用の包帯形状を呈しており、その構造は、横ユニット１０２のパイプ１０３に設ける（抱持する）略半截管状か、又は平板形状でなる対の挾持部６ａ（一方のみも可能）と、対の挾持部６ａに繋ぎ部６ｂにより連設した正面視して帯状で、かつ上面（Ｂ５）視して曲面形状の捲装部６ｃでなる。そして、この挾持部６ａの一方を、横ユニット１０２のパイプ１０３に挾持するか、又は添接、かつ圧着（器具による圧着）等して設ける。この捲装部６ｃを、ブラケット２の非接触側面部（前面Ｂ１と、両側面（Ｂ３）、（Ｂ４））に捲装する。その後、挾持部６ａの他方を、横ユニット１０２のパイプ１０３に挾持するか、又は添接、かつ圧着等して設ける。続いて、この一方、他方の挾持部６ａの周辺６−１とパイプ１０３を溶接し、及び捲装部６ｃとブラケット２を溶接し、少なくとも、前記水平方向（Ｘ）になる第二溶接部８を形成する。尚、図示しないが、挾持部６ａは一方でも可能であるが、その場合には、挾持部６ａの一方とパイプ１０３、及び捲装部６ｃとブラケット２を溶接して第二溶接部８を形成する。また、繋ぎ部６ｂの表面６ｂ１より、その前面（Ｂ１）側に向かって、複数本のリブ突起６ｄを膨出し、この繋ぎ部６ｂ及び／又はブラケット２の補強と、効果（「ブラケットに対する撓み応力に対応できる」）の拡充を図る。
【００４４】
［第四実施例］
図１４〜図１６−２において、横ユニット１０２とブラケット２にリブ片６を設ける構造であり、このリブ片６は、換言すれば、後面（Ｂ２）視して、Ｔ字形状を呈しており、その構造は、横ユニット１０２のパイプ１０３に設ける略半截管状か、又は平板形状でなる挾持部６ａと、挾持部６ａに繋ぎ部６ｂにより連設した後面（Ｂ２）視して帯状で、かつ上面（Ｂ５）視して曲面形状の捲装部６ｃでなる。そして、この例では、ブラケット２の上端縁部２ａに設ける構造とし、かつ、望ましくは、その下端縁部２ｂの前面（Ｂ１）に補強片６ｅを捲装する。従って、リブ片６を構成する、挾持部６ａと、繋ぎ部６ｂ、並びに捲装部６ｃでなる上部のリブ片６と、この補強片６ｅによる、垂直方向Ｙにおける異方向による撓み応力に対応でき、その効果は大である。そして、この例における他の構造、効果は、前述の第三実施例に準ずる。
【００４５】
また、図１８は、本発明における、リブ片６を取付ける被取付け材の一例と、取付ける数、又はその取付け位置について、好ましい一例を示した図表である。この図表は、理解を容易にするために示したものであって、この図表の内容は、何ら限定されない。
【符号の説明】
【００４６】
１              パイプフレーム
１ａ            潰し部位
１ａ１          潰し端片
１ａ２          潰し端片
１ａ３          潰し端片
１ｂ            潰し部位
１００          側面ユニット
１０１          側面ユニット
１０２          横ユニット
１０２ａ        膨出部
１０２ｂ        膨出部
１０３          パイプ
２              ブラケット
２ａ            上端縁部
２ａａ          開口
２ｂ            下端縁部
２ｂｂ          開口
２ｃ            繋ぎ合せ部位
２ｃｃ          クリンチ加工
２０１          切欠き部
３ａ            接触部位
３ｂ            接触部位
５ａ            第一溶接部
５ｂ            第一溶接部
６              リブ片
６−１          周辺
６−２          折曲げ部位
６ａ            挾持部
６ｂ            繋ぎ部
６ｂ１          表面
６ｃ            捲装部
６ｄ            リブ突起
６ｅ            補強片
７              切欠き
８              第二溶接部
２０            ヘッドレストサポート
２０００        突起
Ａ              シートバック
Ｂ１            前面
Ｂ２            後面
Ｂ３            側面
Ｂ４            側面
Ｂ５            上面
Ｂ６            下面
Ｘ              水平方向
Ｙ              垂直方向
【図１】
0005571912.tif 000002
【図２】
0005571912.tif 000003
【図３】
0005571912.tif 000004
【図４】
0005571912.tif 000005
【図５−１】
0005571912.tif 000006
【図５−２】
0005571912.tif 000007
【図６】
0005571912.tif 000008
【図７】
0005571912.tif 000009
【図８】
0005571912.tif 000010
【図９】
0005571912.tif 000011
【図１０】
0005571912.tif 000012
【図１１】
0005571912.tif 000013
【図１２】
0005571912.tif 000014
【図１３】
0005571912.tif 000015
【図１４】
0005571912.tif 000016
【図１５】
0005571912.tif 000017
【図１６−１】
0005571912.tif 000018
【図１６−２】
0005571912.tif 000019
【図１７】
0005571912.tif 000020
【図１８】
0005571912.tif 000021